(57)【要約】      （修正有）【課題】抱えておく在庫を少なくし、且つ取付け操作も簡便にできるカラーホルダを提供する。【解決手段】略長方形を呈するホルダパネルの左右両端３ａ，３ｂを若干湾曲させ、中央部に蝶ネクタイ型のストッパ１ａを形成するよう、ストッパ１ａの左右外周部に切込み４ａ，４ｂを設け、ストッパ１ａを挟んでホルダパネルの中央長手方向に切込み５ａ，５ｂを設けてなる。表面側のストッパ１ａには、こちらの面が長袖用であることが分かる表示がなされ、他方、裏面側のストッパには、こちらの面が半袖用であることが分かる表示がなされており、最適な性状が表示されている方のストッパ面が表面側になるようにして、ワイシャツの襟に取り付ける。【選択図】図１
0003210377.tif 000002
【実用新案登録請求の範囲】
【請求項１】
左右を若干湾曲させた略長方形のホルダパネルであって、その中央部に略長方形のストッパを備え、該ストッパの左右外周部および当該ストッパを挟んで中央長手方向にパネルを切断して形成した折曲部を備えるワイシャツ用カラーホルダにおいて、上記ストッパの一面に、これが取り付けられようとするワイシャツの１の性状が表示され、該ストッパ他面に、上記性状と異なる性状が表示されてなるカラーホルダ。
【考案の詳細な説明】
【技術分野】
【０００１】
本考案は、ワイシャツ襟の型くずれを防止するカラーホルダに関する。
【背景技術】
【０００２】
クリーニング店では、クリーニング後のワイシャツに、襟元の型くずれを防止するカラーホールダを取付ける。図５は、従来から一般に使用されているカラーホルダの一例を示すもので、略長方形を呈する厚紙パネル１０の左右両端３ａ，３ｂを若干湾曲させ、中央部に例えば蝶ネクタイ型のストッパ１を形成するよう、ストッパ１の左右外周部に切込み４ａ，４ｂを設けるとともに、このストッパ１を挟んで厚紙パネル１０の中央長手方向に切込み５ａ，５ｂを設けてなる。
【０００３】
このカラーホルダは、切込み５ａ，５ｂの部分で折曲ができるから、図６に示すように、上側パネル２ａをワイシャツ２０の襟内にあてがい、下側パネル２ｂをワイシャツ２０の襟下にあてがって、上記ストッパ１を正面に出してずれを抑えるようになっている。
【考案の概要】
【考案が解決しようとする課題】
【０００４】
しかし、クリーニングの利用者からしてみると、クリーニングされ、袖や身体部分が折りたたまれたものは、袖部分が胴体部分に折り込まれるように畳まれビニールによって被覆されるため、開封して展開しない限り、そのワイシャツがどのような性状のもの、即ち、長袖か、半袖か、（或いはフォーマルに着るものか否か）と言った、性状を直ぐに判別できない不便さがあった。
【０００５】
そこで、クリーニング店としては、ワイシャツの長袖か、半袖かと言った性状に応じて、外観から判明するカラーホルダに種別を印刷して、開封しなくとも種別を判別できるよう、種別に応じたカラーホルダを利用しているため、複数種のカラーホルダを用意して、在庫を抱えておく必要があったが、季節により種別に大きなばらつきがあるため、不良在庫となりやすかった。
【０００６】
また仕上がったワイシャツの、長袖か、半袖かと言った性状に応じて、例えば、それが長袖のワイシャツの場合は、長袖と印刷されたカラーホルダを、また反対に半袖のワイシャツの場合は、半袖と印刷されたカラーホルダを選び（特に夏場は長袖と半袖と表示されたカラーホルダの束を並べておいて、ワイシャツがそのどれかに応じてどちらかを選ぶ）、上記のようにして、種別に応じて別のカラーホルダをワイシャツの襟に取り付ける必要があり、都度，必要なカラーホルダを選んでは取り付けねばならず、取付け操作も煩雑にならざるを得ないと言う問題があった。
【０００７】
本考案は、以上のような問題に鑑み創案されたものであって、抱えておく在庫を少なくし、且つ取付け操作も簡便にできるカラーホルダを提供せんとするものである。
【課題を解決するための手段】
【０００８】
本考案に係るカラーホルダの構成は、左右を若干湾曲させた略長方形のホルダパネルであって、その中央部に略長方形のストッパを備え、該ストッパの左右外周部および当該ストッパを挟んで中央長手方向にパネルを切断して形成した折曲部を備えるワイシャツ用カラーホルダであって、上記ストッパの一面に、これが取り付けられようとするワイシャツの１の性状が表示され、該ストッパ他面に、上記性状と異なる性状が表示されてなることを基本的特徴としている。
【０００９】
上記構成によれば、長袖か半袖か（或いはフォーマルに着るものか否か）と言ったワイシャツの性状に応じて、最適な性状が表示されている方のストッパ面が表面側になるようにして、ワイシャツの襟に取り付ければ済むことになる。
【考案の効果】
【００１０】
本考案のカラーホルダの構成によれば、季節等から生じる種別の偏りにかかわらず、一種類のカラーホルダでたりるため、抱えておく在庫を少なくし、且つ取付け操作も簡便にできるため作業効率をあげることができるという優れた効果を奏することが可能となる。
【図面の簡単な説明】
【００１１】
【図１】本考案の一実施例構成を示す正面図である。
【図２】上記実施例構成を示す背面図である。
【図３】本考案の他の実施例構成を示す正面図である。
【図４】上記実施例構成を示す背面図である。
【図５】従来のカラーホルダの例を示す説明図である。
【図６】従来のカラーホルダをワイシャツ２０の襟に取り付けた状態を示す説明図である。
【考案を実施するための形態】
【００１２】
以下、本考案の実施の形態を図示例と共に説明する。
【実施例１】
【００１３】
図１は、本考案に係るカラーホルダの一例を示すもので、見かけ上は図５に示した従来のカラーホルダと同様であり、略長方形を呈するホルダパネルの左右両端３ａ，３ｂを若干湾曲させ、中央部に蝶ネクタイ型のストッパ１ａ（裏面側：ストッパ１ｂ）を形成するよう、ストッパ１ａ（裏面側：ストッパ１ｂ）の左右外周部に切込み４ａ，４ｂを設け、ストッパ１ａ（裏面側：ストッパ１ｂ）を挟んでホルダパネルの中央長手方向に切込み５ａ，５ｂを設けてなる。
【００１４】
上側パネル２ａをワイシャツ２０の襟内にあてがい、下側パネル２ｂをワイシャツ２０の襟下にあてがって、上記ストッパ１ａを正面に出してこのカラーホルダを取り付けると、これが長袖のワイシャツ２０であることが分かるように、ストッパ１ａ面側に「長袖」と表示されている。
【００１５】
図２は、上記図１の構成の背面図である。同図に示すように、裏面側のストッパ１ｂには、こちらの面が「半袖」であることが分かる表示がなされている。
【００１６】
以上の本実施例１の構成では、長袖か半袖かと言ったワイシャツ２０の性状に応じて、最適な性状が表示されている方のストッパ面１ａ又は１ｂが表面側になるようにして、ワイシャツ２０の襟に取り付ければ済むことになる。
【実施例２】
【００１７】
図３は、本考案に係るカラーホルダの一例を示すもので、見かけ上は図１及び図２に示した実施例１のカラーホルダと同様である。
【００１８】
同図に示すように、表面側のストッパ１ａには、こちらの面が「Ｌｏｎｇ」（長袖）であることが分かる表示がなされている。
【００１９】
図４は、上記図３の構成の背面図である。同図に示すように、裏面側のストッパ１ｂには、こちらの面が「Ｓｈｏｒｔ」（半袖）であることが分かる表示がなされている。
【００２０】
以上の本実施例２の構成では、「Ｌｏｎｇ」（長袖）か「Ｓｈｏｒｔ」（半袖）かと言ったワイシャツ２０の性状に応じて、最適な性状が表示されている方のストッパ面１ａ又は１ｂが表面側になるようにして、ワイシャツ２０の襟に取り付ければ済むことになる。
【００２１】
上記２つの実施例構成とも、取り付けるべきワイシャツの性状に応じて、その裏表で異なる性状が表示されているため、表裏のどちらを表面側になるように選んで、ワイシャツ２０の襟に取り付けるだけで済み、長袖用、半袖用等と言った、抱えておくカラーホルダの在庫を少なくでき、且つ取付け操作も簡便にできることになる。
【００２２】
尚、本考案のカラーホルダは、上述の実施例にのみ限定されるものではなく、本考案の要旨を逸脱しない範囲内において種々変更を加え得ることは勿論である。
【産業上の利用可能性】
【００２３】
本考案のカラーホルダは、クリーニング業界において使用されるだけでは無く、シャツを大量に抱え込んで販売するファッション業界においても利用可能である。
【符号の説明】
【００２４】
１、１ａ、１ｂ            ストッパ
２ａ、２ｃ                上側パネル
２ｂ、２ｄ                下側パネル
３ａ                      左端
３ｂ                      右端
４ａ、４ｂ、５ａ、５ｂ    切込み
１０                        厚紙パネル
２０                        ワイシャツ
【図１】
0003210377.tif 000003
【図２】
0003210377.tif 000004
【図３】
0003210377.tif 000005
【図４】
0003210377.tif 000006
【図５】
0003210377.tif 000007
【図６】
0003210377.tif 000008